(57)【特許請求の範囲】
【請求項１】
扉の戸先側の中央部にラッチ錠を設けるとともに、扉の戸先側の上部及び下部の少なくとも一方に鎌錠を設けてなる扉錠であって、
上記ラッチ錠のケースにはラッチと、このラッチを操作するハンドルに連結された回動可能なハンドルハブと、このハンドルハブの回動に伴い上下移動するスライダーと、シリンダ及びサムターンに連結された回動可能なロックハブとが設けられており、上記ハンドルは、ラッチを操作する通常回動操作領域の外の所定角度位置にまで回動操作可能に設けられている一方、上記スライダーは、このハンドルがラッチ操作のために通常回動操作領域内で回動操作されたときケース内の中間位置より上方に移動し、ハンドルが上記通常回動操作領域外の所定角度位置にまで回動操作されたときケース内の中間位置より下方に移動するように設けられ、このスライダーには、スライダーがケース内の中間位置より上方にあるとき上記ロックハブの回動を規制する回動規制部が設けられており、
上記鎌錠のケース内には鎌片が回動可能に支持されているとともに、スライダーが上下移動可能に配置され、上記鎌片とスライダーとは、一方に設けたピンと他方に設けた溝状部との係合によりスライダーがケース内の中間位置より上方に移動したとき鎌片が回動せずに解錠状態を保持し、スライダーがケース内の中間位置より下方に移動したとき鎌片が回動してケース外に突出するように設けられており、
上記ラッチ錠のスライダーと鎌錠のスライダーとは連結部材により連結されていることを特徴とする扉錠。
【請求項２】
上記連結部材は、細長い板状のもので扉の戸先側端面に沿って上下方向に延びて配置され、この連結部材の上下両端にはそれぞれ上記ラッチ錠のスライダー又は鎌錠のスライダーに係合する係合部が設けられている請求項１記載の扉錠。
【請求項３】
上記鎌錠は、そのスライダーの上下両端にそれぞれ上記連結部材と連結可能な連結部を有し、扉の戸先側の上部及び下部の両方に兼用可能に設けられている請求項１又は２記載の扉錠。
【発明の詳細な説明】
【０００１】
【発明の属する技術分野】
本発明は、建物の出入口などの開口部を開閉する扉に装備される扉錠に関し、特に、ラッチの他にデッドボルトやロック用ロッドなどのロック部材を備えたものに係わる。
【０００２】
【従来の技術】
一般に、建物の出入口などの扉に装備される扉錠としては、例えば特開平１１−２１０２９１号公報に開示されるように、扉の戸先側端面にラッチを出没可能に設け、このラッチを操作するハンドルを扉の内側と外側の両方に設けるだけでなく、ラッチの近傍にデッドボルトを設け、このデッドボルトを施錠解錠するシリンダ及びサムターンをそれぞれ扉の外側及び内側に設けたものが多く使用されている。また、防犯性を高めるために、上記例示の公報の如くデッドボルトを扉の戸先側の複数箇所に設けたもの、及びデッドボルトとは別に扉の上端面及び下端面より各々突出する上部ロッド及び下部ロッドにより施錠をするいわゆるグレモン錠なども使用されている。
【０００３】
【発明が解決しようとする課題】
ところで、上記デッドボルトやロック用ロッドなどのロック部材は、扉の外側からは鍵により、内側からはサムターンによりそれぞれ施錠解錠が行われるが、扉が閉じた状態で不注意などによってロック部材の施錠が行われ、必要な人が入室できなくなる事態が生じることが実際上少なくない。また、扉が開いた状態で同じく不注意などによってロック部材の施錠が行われると扉の端面より突出したロック部材により開口部の周縁などが損傷するという問題もある。
【０００４】
本発明はかかる点に鑑みてなされたものであり、その課題とするところは、特に、シリンダ及びサムターンの近傍に設けられるラッチ操作用のハンドルに着目し、このハンドルに対しシリンダ及びサムターンの安全装置としての機能を持たせることにより、ロック部材の施錠解錠の操作性を損うことなく、不注意などによりロック部材の施錠が行われるのを防止し、締め出し事態の発生及び開口部周縁などの破損を共に防止し得る扉錠を提供するものである。
【０００５】
【課題を解決するための手段】
上記の課題を解決するため、本発明は、基本的には、ラッチを操作する内ハンドル及び外ハンドルと、ラッチとは別のロック部材を施錠解錠するシリンダ及びサムターンとを備えた扉錠において、上記内ハンドル及び外ハンドルを、ラッチを操作する通常回動操作領域の外の所定角度位置にまで回動操作可能に設けるとともに、上記内ハンドル又は外ハンドルがラッチ操作のために通常回動操作領域内で回動操作されたとき上記シリンダ又はサムターンによるロック部材の施錠を規制し、かつ内ハンドル又は外ハンドルが上記通常回動操作領域外の所定角度位置にまで回動操作されたとき上記シリンダ又はサムターンによるロック部材の施錠を可能にする施錠規制手段を備える構成とする。
【０００６】
この構成では、ロック部材を施錠するときには、初めに内ハンドル又は外ハンドルを通常回動操作領域外の所定角度位置にまで回動操作して、施錠規制手段によるロック部材の施錠規制を解除し施錠可能状態とし、しかる後、扉の内側からはサムターンを用い、扉の外側からはシリンダ用の鍵を用いてロック部材の施錠を行うという二段階の操作が必要であるため、不注意など意図に反してロック部材の施錠が行われるのを防止することができる。しかも、上記内ハンドル及び外ハンドルは、ラッチ操作用のもので通常はサムターン及びシリンダの近傍に設けられているため、上記二段階の操作によるロック部材の施錠解錠を容易に行うことができ、また操作部材を新たに設ける必要もない。
【０００７】
請求項１に係る発明は、特に、扉の戸先側の中央部にラッチ錠を設けるとともに、扉の戸先側の上部及び下部の少なくとも一方に鎌錠を設けてなる扉錠に適用した場合における具体的形態を提供するものである。すなわち、上記ラッチ錠のケースにラッチと、このラッチを操作するハンドル（詳しくは内ハンドル及び外ハンドルの両方）に連結された回動可能なハンドルハブと、このハンドルハブの回動に伴い上下移動するスライダーと、シリンダ及びサムターンに連結された回動可能なロックハブとを設ける。上記ハンドルを、ラッチを操作する通常回動操作領域の外の所定角度位置にまで回動操作可能に設ける一方、上記スライダーを、このハンドルがラッチ操作のために通常回動操作領域内で回動操作されたときケース内の中間位置より上方に移動し、ハンドルが上記通常回動操作領域外の所定角度位置にまで回動操作されたときケース内の中間位置より下方に移動するように設け、このスライダーに、上記施錠規制手段として、スライダーがケース内の中間位置より上方にあるとき上記ロックハブの回動を規制する回動規制部を設ける。また、上記鎌錠のケース内に、ロック部材としての鎌片を回動可能に支持するとともに、スライダーを上下移動可能に配置し、上記鎌片とスライダーとを、一方に設けたピンと他方に設けた溝状部との係合によりスライダーがケース内の中間位置より上方に移動したとき鎌片が回動せずに解錠状態に保持し、スライダーがケース内の中間位置より下方に移動したとき鎌片が回動してケース外に突出するように設ける。さらに、上記ラッチ錠のスライダーと鎌錠のスライダーとを連結部材により連結する構成とする。
【０００８】
この構成では、ハンドルを通常回動操作領域内で回動操作したときには、ラッチ錠ではハンドルと連結されたハンドルハブが回動して、ラッチがケースから出たり入ったりしてラッチ操作が行われると同時に、スライダーがケース内の中間位置より上方で移動する。このスライダーの上方移動は連結部材を介して鎌錠のスライダーに伝達され、このスライダーが鎌錠のケース内の中間位置より上方に移動するが、鎌片は回動せずにケース内で解錠状態を保持している。また、ハンドルが通常回動操作領域内にあるときには、たとえラッチ錠において扉の内側からサムターンを用い、あるいは扉の外側からシリンダ用の鍵を用いてロックハブを回動させて施錠を行おうとしてもロックハブの回動がスライダーの回動規制部によって規制されているため、ロックハブは回動できず施錠が行われることはない。
【０００９】
一方、ハンドルを通常回動操作領域外の所定角度位置にまで回動操作したときには、ラッチ錠ではハンドルハブの回動に伴ってスライダーがケース内の中間位置より下方に移動する。このスライダーの下方移動は連結部材を介して鎌錠のスライダーに伝達され、このスライダーが鎌錠のケース内の中間位置より下方に移動することにより、鎌片が回動してケース外に突出し枠側の受け座と係合する。しかる後、ラッチ錠において扉の内側からサムターンを用い、あるいは扉の外側からシリンダ用の鍵を用いてロックハブを回動させると、このロックハブは、上述の如くスライダーの回動規制部による規制を受けることなく回動して施錠が行われる。
【００１０】
請求項２に係る発明は、請求項１記載の扉錠において、上記連結部材を、細長い板状のもので構成しかつ扉の戸先側端面に沿って上下方向に延ばして配置し、この連結部材の上下両端に、それぞれ上記ラッチ錠のスライダー又は鎌錠のスライダーに係合する係合部を設ける構成とする。この構成では、扉錠の取付時には扉を建物の開口部に取り付けた状態でその戸先側端面に連結部材を沿わせて配置し、この連結部材の上下両端の係合部をそれぞれラッチ錠のスライダー及び鎌錠のスライダーに係合するだけで連結部材の組み付けを容易に行うことができる。
【００１１】
請求項３に係る発明は、請求項１又は２記載の扉錠において、上記鎌錠のスライダーの上下両端にそれぞれ上記連結部材と連結可能な連結部を設け、扉の戸先側の上部及び下部の両方に鎌錠を兼用可能な構成とする。この構成では、例えば扉の戸先側の上部及び下部に共に鎌錠を設ける場合その上下一対の鎌錠が互いに兼用可能なものであるため、その分鎌錠の組み付けを容易に行うことができるとともに、鎌錠のコストを低減することができる。
【００１２】
【発明の実施の形態】
以下、本発明の実施の形態を図面に基づいて説明する。
図１ないし図４は本発明の一実施形態に係る扉錠１を示す。この扉錠１は、扉２の戸先側の中央部に設けられたラッチ錠３と、扉２の戸先側の上部及び下部にそれぞれ設けられた上下一対の鎌錠４，４とからなる。扉２は、建物の出入口などの開口部の枠５にヒンジ（図示せず）を介して取り付けられ、そのヒンジを中心として開口部を閉じる閉状態と外側に押し開けられる開状態とに回動されるようになっている。
【００１３】
上記ラッチ錠３は、図１の他に図５ないし図７にも示すように、扉２の戸先側端面に設けたケース挿入口１１を通して扉２の框部内に挿入して取り付けられた箱型の錠ケース１２と、扉２の戸先側框部の内側面及び外側面に各々取り付けられた内長座１３及び外長座１４と、内長座１３の上部に基端が回動可能に支持されたレバー型の内ハンドル１５と、内長座１３の下部に回動可能に支持されたサムターン１６と、外長座１４の上部に基端が回動可能に支持されたレバー型の外ハンドル１７と、外長座１４の下部に設けられたシリンダ１８とを備えている。上記内長座１３及び外長座１４は、これらの上下２箇所で各々外長座１４にねじ込みにより垂直に立てて設けた取付柱２１を扉２の内部に錠ケース１２の貫通孔２２を貫通した状態で挿入し、この取付柱２１の先端部のねじ穴に内長座１３側からねじ２３をねじ込むことにより扉２を厚み方向に挟んで取り付けられている。
【００１４】
上記内ハンドル１５及び外ハンドル１７は、扉２及び錠ケース１２を貫通する断面正方形の角芯２４を介して一体的に回動するように連結されているとともに、錠ケース１２の後述する内部機構により図６及び図７に実線で示す横向きのラッチ突出位置と仮想線で示す斜め下向きのラッチ後退位置との間つまりラッチ操作のための通常回動操作領域内で回動操作されるだけでなく、上記ラッチ突出位置から上向きの鎌錠施錠位置にまで回動操作されるようになっている。また、上記サムターン１６の先端部１６ａ及びシリンダ１８の先端部１８ａは共に錠ケース１２の内部（詳しくは後述するロックハブ３６の係合孔６７）にまで延びており、サムターン１６の先端部１６ａは断面十文字状に、シリンダ１８の先端部１８ａは断面一文字状にそれぞれ形成されている。
【００１５】
上記錠ケース１２は、図８ないし図１７に詳示するように、一側面を開放したケース本体１２ａと、このケース本体１２ａの開放側面を構成するケース蓋１２ｂと、ケース本体１２ａの前面に重ね合わせて取り付けられたフロント板１２ｃとからなり、ケース本体１２ａの上面及び下面にはそれぞれアングル形状の取付プレート２６，２６の一辺が重ね合わせて取り付けられ、この両取付プレート２６，２６を介して錠ケース１２が扉２の戸先側端面に取り付けられている。この錠ケース１２内にはラッチ３１、ハンドルハブ３２、ハンドルハブばね受け３３、スライダー３４、スライダーばね受け３５、ロックハブ３６、ロックハブばね受け３７及びロックピース３８などが配設されている。尚、図８はハンドル１５，１７が横向きのラッチ突出状態を、図９はハンドル１５，１７が斜め下向きのラッチ後退状態を、図１０はハンドル１５，１７が上向きの鎌錠施錠可能状態を、図１１はハンドル１５，１７が上向きの鎌錠施錠状態をそれぞれ示す。
【００１６】
上記ラッチ３１は、錠ケース１２の前面詳しくはケース本体１２ａの前面及びフロント板１２ｃを貫通して設けたラッチ孔４１より外部に出没する頭部３１ａと、この頭部３１ａに一端が結合された軸部３１ｂと、この軸部３１ｂの両端に各々前後両端部が装着された逆Ｕ字形のプレート３１ｃとからなる。プレート３１ｃの後端部には側方に突出する左右一対のガイド片３１ｄ，３１ｄが形成されており、この各ガイド片３１ｄは錠ケース１２の側面に設けた横方向に長いガイド孔４２内を摺動してラッチ３１の横移動つまりラッチ頭部３１ａの出没作動をガイドするようになっている。ラッチ頭部３１ａは、プレート３１ｃの後端部と錠ケース１２の後面との間に縮装したコイルばね４３により常に突出方向に付勢されているとともに、扉２を閉じる時に開口部の枠５との接触により没入方向の反力を受けるように傾斜面３１ｅを有している。
【００１７】
上記ハンドルハブ３２は、図１６に示す如く軸部３２ａの両端部がそれぞれ錠ケース１２の両側面に設けた支持孔４４，４４に回動可能に支持されているとともに、図１８に拡大詳示するように、軸部３２ａに上記角芯２４が貫通する正方形の貫通孔４５を有し、ハンドル１５，１７の回動操作と一体的に回動するようになっている。このハンドルハブ３２の軸部３２ａにはその軸方向中央部に大径部３２ｂが形成されているとともに、この大径部３２ｂの両側にそれぞれ複数のスプライン凸部３２ｃ，３２ｃ，…が円周方向に等間隔で形成されている。上記大径部３２ｂの外周面には円周方向に所定長さに亘って延びる円弧状の凸部３２ｄが形成され、この凸部３２ｄは、円周方向の所定の２個所にハンドルハブ３２を位置決めするための位置決め部３２ｅ，３２ｆを有している。
【００１８】
上記ハンドルハブ３２の軸部３２ａ上には、その大径部３２ｂの一方の側面と錠ケース１２のケース本体１２ａの側面との間にスライダー作動ギヤ４６が取り付けられているとともに、大径部３２ｂの他方の側面と錠ケース１２のケース蓋１２ｂの側面との間にラッチ梃子４７が取り付けられている。スライダー作動ギヤ４６は、図１９に拡大詳示するように、ハンドルハブ３２の軸部３２ａ及びスプライン凸部３２ｃの側面形状に対応したスプライン孔４８を有し、このスプライン孔４８をハンドルハブ３２の軸部３２ａ上にスプライン嵌合して回動一体に取り付けられており、スライダー作動ギヤ４６の外周の一部分にはギヤ部４６ａが形成されている。ラッチ梃子４７も、図２０に拡大詳示するように、スライダー作動ギヤ４６のスプライン孔４８と同様なスプライン孔４９を有し、このスプライン孔４９をハンドルハブ３２の軸部３２ａ上にスプライン嵌合して回動一体に取り付けられており、よってハンドルハブ３２とスライダー作動ギヤ４６とラッチ梃子４７の三者はハンドル１５，１７の回動操作に伴い一体的に回動する。このラッチ梃子４７には半径方向に突出する上記ラッチ３１の一方のガイド片３１ｄに当接可能なアーム部４７ａと、このアーム部４７ａと円周方向の異なる位置で半径方向に突出する突出部４７ｂとが形成されている。
【００１９】
上記ハンドルハブばね受け３３は、錠ケース１２内のハンドルハブ３２の下方近傍に固定されており、このハンドルハブばね受け３３にはハンドルハブ３２の軸心に向かって開口する収納穴５１が形成され、この収納穴５１内にはコイルばね５２により突出方向に付勢された小球５３が出没可能に収納されている。この小球５３は、図８に示すラッチ突出状態のときハンドルハブ３２の大径部３２ｂ上の位置決め部３２ｅに係合してハンドルハブ３２の回動位置決めをし、また図１０図に示す鎌錠施錠可能状態のときハンドルハブ３２の大径部３２ｂ上の位置決め部３２ｆに係合してハンドルハブ３２の回動位置決めをするものである。ハンドルハブばね受け３３のケース蓋１２ｂ側の側面には、鎌錠施錠可能状態のときラッチ梃子４７の突出部４７ｂをケース蓋１２ｂとの間に収納するための段差部５４が形成されている。
【００２０】
上記スライダー３４は、上下方向に長い板状のもので錠ケース１２内の前面寄りの位置に上下移動可能に配置されている。このスライダー３４の側面には上下２箇所にガイド用の突起部５６，５６が形成されており、この各突起部５６は錠ケース１２のケース本体１２ａの側面に設けた縦方向に長いガイド孔５７内を摺動してスライダー３４の上下移動をガイドするようになっている。スライダー３４の上下両端部にはそれぞれ後述する連結部材９１，９２と連結するための連結フランジ５８が各端部を直角に折り曲げて形成されているとともに、スライダー３４の後縁部には上記スライダー作動ギヤ４６のギヤ部４６ａと噛み合うラック部５９が形成されている。そして、このスライダー３４のラック部５９とスライダー作動ギヤ４６のギヤ部４６ａとの噛み合いにより、ハンドル１５，１７が横向きのラッチ突出状態ではスライダー３４が錠ケース１２内の中間位置に位置し（図８に示す状態）、ハンドル１５，１７がラッチ３１を解錠するために斜め下向きに回動操作されたときスライダー３４が錠ケース１２内の中間位置より上方に移動し（図９に示す状態）、ハンドル１５，１７が上方向きに回動操作されたときスライダー３４が錠ケース１２内の中間位置より下方に移動する（図１０に示す状態）。
【００２１】
上記スライダーばね受け３５は、錠ケース１２内の上部に、上記スライダー３４の後縁部に形成したアングル状の当接部６０に対応して上下移動可能に配置されている。このスライダーばね受け３５は上向きに開口する中心穴６１を有する四角柱状のもので、その左右両側面にはそれぞれ縦方向に長いガイド用の凸条部６２，６２が形成されており、この各凸条部６２は錠ケース１２の側面に設けた縦方向に長いガイド孔６３内を摺動してスライダーばね受け３５の上下移動をガイドするようになっている。そして、スライダー３４が錠ケース１２内の中間位置より上方にあるときスライダーばね受け３５は、このスライダー３４の当接部６０に当接するとともに、中心穴６１の底部と錠ケース１２の上面との間に縮装したコイルばね６４の付勢力を受けてスライダー３４を中間位置に付勢するようになっている。尚、スライダー３４が錠ケース１２内の中間位置より下方に移動したときスライダーばね受け３５は、図１０に示す如くスライダー３４の当接部６０と離れ、凸条部６２がガイド孔６３の下端に当接してそれ以上の移動が阻止される。
【００２２】
上記ロックハブ３６は、図１７などに示す如く軸部３６ａの両端部がそれぞれ錠ケース１２の両側面に設けた支持孔６６，６６に回動可能に支持されているとともに、軸部３６ａに係合孔６７を有し、この係合孔６７に先端部が挿入されるサムターン１６又はシリンダ１８の操作により回動するようになっている。このロックハブ３６の軸部３６ａの外周面には、半径方向に突出するアーム部３６ｂが形成されているとともに、円周方向の所定の２箇所にロックハブ３６を位置決めするための位置決め凹部３６ｃ，３６ｄが形成されている。
【００２３】
上記ロックハブばね受け３７は、錠ケース１２内のロックハブ３６の上方近傍に固定されており、このロックハブばね受け３７にはロックハブ３６の軸心に向かって開口する収納穴６８が形成され、この収納穴６８内にはコイルばね６９により突出方向に付勢された小球７０が出没可能に収納されている。この小球７０は、図８ないし図１０に示す鎌錠４の非施錠状態のときロックハブ３６の位置決め凹部３６ｃに係合してロックハブ３６の回動位置決めをし、また図１１に示す鎌錠４の施錠状態のときロックハブ３６の位置決め凹部３６ｄに係合してロックハブ３６の回動位置決めをするものである。
【００２４】
上記ロックピース３８は、スライダー３４とハンドルハブばね受け３３との間に位置する第１の垂直部３８ａと、この垂直部３８ａの下端からロックハブばね受け３７の上方近傍を水平に延びる水平部３８ｂと、この水平部３８ｂの後端からロックハブばね受け３７及びロックハブ３６と錠ケース１２の後面との間を垂下する第２の垂直部３８ｃとからなる。第１の垂直部３８ａの左右両側面にはそれぞれ矩形状のガイド用凸部７１（図８にケース蓋１２ｂ側側面の凸部のみ示す）が形成され、この各凸部７１は錠ケース１２の側面に設けた縦方向に長い矩形状のガイド孔７２（図８にケース本体１２ａの側面のガイド孔のみ示す）内を摺動可能に嵌合されており、ロックピース３８は、この凸部７１がガイド孔７２にガイドされて上下移動するようになっている。第２の垂直部３８ｃのケース蓋１２ｂ側側面には上記ロックハブ３６のアーム部３６ｂに対応して係合凹部７３が形成されている。そして、図８ないし図１０に示すスライダー３４を中間位置より下方に移動させていない状態、即ち鎌錠４の非施錠状態のときには第１の垂直部３８ａの上端面がハンドルハブばね受け３３の段差部５４より下方に位置し、サムターン１６又はシリンダ１８の操作によりロックハブ３６を図で反時計方向に回動させるとロックハブ３６のアーム部３６ｂがロックピース３８の係合凹部７３の上面に当接してロックピース３８を押し上げることにより、図１１に示す如く第１の垂直部３８ａの上端面がハンドルハブばね受け３３の段差部５４より上方に位置して、この段差部５４側に位置するラッチ梃子４７の突出部４７ｂとの当接によりラッチ梃子４７の回動（詳しくは図で時計方向の回動）ひいてはハンドル１５，１７の回動操作を規制するようになっている。
【００２５】
さらに、上記ロックハブ３６の軸部３６ａの外周面には、アーム部３６ｂ及び位置決め凹部３６ｃ，３６ｄの他にこれらとは別の部位に係合平面７５が形成されている一方、上記スライダー３４の下部にはロックハブ３６寄りに突出する回動規制部７６が形成されている。この回動規制部７６は、図８及び図９に示す如くスライダー３４が錠ケース１２内の中間位置より上方にあるときつまりハンドル１５，１７が横向きのラッチ突出状態と斜め下向きのラッチ後退状態との間の通常回動操作領域内で回動操作されたとき上記係合平面７５と対向してロックハブ３６の回動ひいてはサムターン１６又はシリンダ１８による施錠操作を規制し、図１０に示す如くスライダー３４が錠ケース１２内の中間位置より下方に移動したときつまりハンドル１５，１７が通常回動操作領域外の上向きに回動操作されたときロックハブ３６の回動ひいてはサムターン１６又はシリンダ１８による施錠操作を可能にするようになっており、施錠規制手段として機能するものである。
【００２６】
一方、前記各鎌錠４は、ラッチ錠３の場合と同様に、扉２の戸先側端面に設けたケース挿入口８１を通して扉２の框部内に挿入して取り付けられた箱型の錠ケース８２を備えている。この錠ケース８２は、図２１ないし図２６に詳示するように、一側面を開放したケース本体８２ａと、このケース本体８２ａの開放側面を構成するケース蓋８２ｂと、ケース本体８２ａの前面に重ね合わせて取り付けられたフロント板８２ｃとからなり、ケース本体８２ａの上面及び下面にはそれぞれ取付フランジ部８２ｄ，８２ｄが一体に設けられており、この両取付フランジ部８２ｄ，８２ｄにて錠ケース８２が扉２の戸先側端面に取り付けられている。この錠ケース８２内には鎌片８３及びスライダー８４が配置されている。尚、図２１はハンドル１５，１７が横向きのラッチ突出状態を、図２２はハンドル１５，１７が斜め下向きのラッチ後退状態を、図２３はハンドル１５，１７が上向きの状態で鎌錠４が施錠をする鎌錠施錠状態をそれぞれ示す。
【００２７】
上記鎌片８３は略Ｌ字形のもので、その基端部を貫通する支軸８９を介して錠ケース８２に回動可能に支持されていて、図２１及び図２２に示す如く先端部が錠ケース８２内にある解錠状態と、図２３に示す如く先端部が錠ケース８２の前面詳しくはケース本体８２ａの前面及びフロント板８２ｃを貫通して設けたデッド孔８５より外部に突出する施錠状態とに切り換えられるようになっている。この鎌片８３の先端部は、横幅が先端に向かうに従って小さくなるように左右両側面に傾斜面８３ａ，８３ａが形成されているとともに、鎌片８３の基端部には溝状部としての略Ｙ字状の溝状孔８６が設けられている。
【００２８】
上記スライダー８４は、略矩形枠状の平板を鎌片８３を挟み込むように前方に開脚したＵ字状に折り曲げてなるもので、錠ケース８２内に上下移動可能に配置されており、スライダー８４の後面は、錠ケース８２の後面と当接してスライダー８４の上下移動をガイドするようになっている。このスライダー８４のケース本体８２ａ側側面の上下両端部にはそれぞれ後述する連結部材９１，９２と連結するための連結フランジ８７が各端部を直角に折り曲げて形成されているとともに、スライダー８４の左右両側面間には、上記鎌片８３の溝状孔８６を貫通して係合する係合ピン８８が架設されている。そして、この係合ピン８８と溝状孔８６との係合により、スライダー８４が錠ケース８２内の中間位置より上方に移動したとき鎌片８３は回動せずに錠ケース８２内で解錠状態を保持しており（図２２に示す状態）、スライダー８４が錠ケース８２内の中間位置より下方に移動したとき鎌片８３が回動してその先端部がデッド孔８５を通して外部に突出するようになっている（図２３に示す状態）。
【００２９】
上記ラッチ錠３のスライダー３４と各鎌錠４のスライダー８４とはそれぞれ連結部材９１，９２により連結されている。この両連結部材９１，９２は、長さが異なるだけで他は同一であるので、以下の説明では、上側の連結部材９１について述べる。
【００３０】
すなわち、上記連結部材９１は、細長い板状のもので扉２の戸先側端面に沿って上下方向に延びて配置され、その下端部はラッチ錠３の錠ケース１２内に、上端部は鎌錠４の錠ケース８２内にそれぞれ挿入されている。この連結部材９１の下端部には、図１２に示す如くＴ字状の係合部９３が形成され、この係合部９３を、ラッチ錠３のスライダー３４の上端側の連結フランジ５８に形成した係合溝９４に係合することにより連結部材９１の下端部がラッチ錠３のスライダー３４に連結されている。尚、ラッチ錠３のスライダー３４の下端側の連結フランジ５８にも係合溝９４が形成され、この係合溝９４にて下側の連結部材９２の係合部９３と係合するようになっている。
【００３１】
上記連結部材９１の上端部にも、図２４に示す如く下端部の場合と同じくＴ字状の係合部９３が形成され、この係合部９３を、上側の鎌錠４のスライダー８４の下端側の連結フランジ８７に形成した連結部としての係合溝９５に係合することにより連結部材９１の上端部が上側の鎌錠４のスライダー８４に連結されており、連結部材９１は、上下を逆にしてもラッチ錠３のスライダー３４と鎌錠４のスライダー８４との連結が可能になっている。また、鎌錠４のスライダー８４の上端側の連結フランジ８７にも、下側の連結フランジ８７の場合と同じく係合部としての係合溝９５が形成されており、鎌錠４は、扉２の戸先側の上部及び下部の両方に兼用可能になっている。つまり、下側の鎌錠４の場合、図２１及び図２４に仮想線で示す如く下側の連結部材９２の下端部（係合部）が鎌錠４のスライダー８４の上端側の連結フランジ８７の係合溝９５に係合して連結される。
【００３２】
上記各連結部材９１，９２は、図１に示す如くそれぞれ化粧プレート９６，９７により覆われており、この化粧プレート９６，９７は、下側の化粧プレート９７の場合図３に示すように、連結部材９２に設けた干渉回避用の長孔９８を通してねじ９９を扉２の戸先側端面にねじ込んで固定されている。
【００３３】
一方、建物の開口部の枠５には、図２ないし図４に示すように、扉２の閉状態でその外周縁に当接して気密性を保つためのラバーなどからなるシール材１０１が装着されているとともに、ラッチ錠３のラッチ３１に対応する受け座１１０及び各鎌錠４の鎌片８３に対応する受け座１２０がそれぞれ取り付けられている。
【００３４】
上記受け座１１０は、図２７ないし図２９に拡大詳示するように、開口部枠５の取付面５ａの外側に配置される受けフロント１１１と、開口部枠５の取付面５ａの内側に配置される受けリヤ１１２とからなる。受けフロント１１１には、その中央部にラッチ錠３のラッチ３１が挿入可能な矩形状の受け孔１１３が設けられているとともに、両端部に一対のねじ挿入孔１１４，１１４が設けられている。また、受けリヤ１１２には、その中央部に上記受け孔１１３を囲む大きさの凹部１１５が折り曲げ成形されているとともに、両端部に一対のねじ孔１１６，１１６が設けられている。そして、受けフロント１１１と受けリヤ１１２とで開口部枠５の取付面５ａを内外両側より挟んだ状態で２個のねじ１１７，１１７をそれぞれ受けフロント１１１の各ねじ挿入孔１１４より受けリヤ１１２のねじ孔１１６にねじ込むことにより受けフロント１１１及び受けリヤ１１２が共に取付面５ａに固定して取り付けられている。
【００３５】
また、前記受け座１２０も、上記受け座１１０と同じくかつ図３０及び図３１に拡大詳示するように、開口部枠５の取付面５ａの外側に配置される受けフロント１２１と、開口部枠５の取付面５ａの内側に配置される受けリヤ１２２とからなる。受けフロント１２１には、その中央部に鎌錠４の鎌片８３が挿入可能な比較的細長い矩形状の受け孔１２３が設けられているとともに、両端部に一対のねじ挿入孔１２４，１２４が設けられている。また、受けリヤ１２２には、その中央部に上記受け孔１２３を囲む大きさの凹部１２５が折り曲げ成形されているとともに、両端部に一対のねじ孔１２６，１２６が設けられている。受けフロント１２１及び受けリヤ１２２の取付面５ａへの取付は、受け座１１０の受けフロント１１１及び受けリヤ１１２のそれと同じである。
【００３６】
次に、上記実施形態の作動を説明するに、今、図１に示すように、扉２が建物の開口部を閉じ、内ハンドル１５及び外ハンドル１７が横向きのラッチ突出状態にある。このとき、ラッチ錠３においては、図８に示すように、ラッチ３１の頭部３１ａはコイルばね４３の付勢力を受けて錠ケース１２のラッチ孔４１より外部に突出する。ハンドルハブ３２と同軸のラッチ梃子４７はそのアーム部４７ａがラッチ３１のガイド片３１ｄと近接しており、スライダー３４は錠ケース１２内の中間位置に位置し、ロックハブ３６はそのアーム部３６ｂがロックピース３８の係合凹部７３の下面に当接しており、ロックピース３８の第１の垂直部３８ａはハンドルハブばね受け３３の段差部５４より下方に位置する。また、各鎌錠４においては、図２１に示すように、鎌片８３の先端部は錠ケース８２内にあり、スライダー８４は錠ケース８２内の中間位置に位置する。
【００３７】
このラッチ突出状態から内ハンドル１５又は外ハンドル１７を斜め下向きに回動操作するとラッチ錠３においては、図９に示すように、ハンドルハブ３２とスライダー作動ギヤ４６とラッチ梃子４７とが一体的にハンドルハブ３２の軸心廻りに時計方向に回動し、ラッチ梃子４７のアーム部４７ａによりラッチ３１が錠ケース１２の後面寄りに押圧されてラッチ頭部３１ａが錠ケース１２内に没入して解錠を行う。それと同時にスライダー作動ギヤ４６のギヤ部４６ａと噛み合うラック部５９を有するスライダー３４が中間位置よりスライダーばね受け３５側のコイルばね６４の付勢力に抗して上方に移動する。このとき、スライダー３４の上方移動がそれぞれ連結部材９１，９２を介して各鎌錠４に伝達され、各鎌錠４においては、図２２に示すように、スライダー８４が錠ケース８２内の中間位置より上方に移動するが、鎌片８３は回動せずに錠ケース８２内で解錠状態を保持している。
【００３８】
このように、ハンドル１５，１７を横向き位置と斜め下向き位置との間で回動操作することにより、鎌錠４の施錠解錠に影響を与えることなく、ラッチ錠３のラッチ操作を円滑に行うことができる。また、ハンドル１５，１７がこのラッチ操作のための通常回動操作領域内にあるときには、ラッチ錠３において、スライダー３４の回動規制部７６がロックハブ３６の係合平面７５と対向してロックハブ３６の回動を規制しているため、たとえ扉２の内側からサムターン１６を用い、あるいは扉２の外側からシリンダ１８用の鍵を用いてロックハブ３６を回動させて施錠を行おうとしてもロックハブ３６は回動不可能であり施錠が行われることはない。
【００３９】
一方、ハンドル１５，１７を横向きのラッチ突出位置から上向きに回動操作するとラッチ錠３においては、図１０に示すように、ハンドルハブ３２とスライダー作動ギヤ４６とラッチ梃子４７とが一体的にハンドルハブ３２の軸心廻りに反時計方向に回動し、ラッチ梃子４７の突出部４７ｂがロックピース３８の第１の垂直部３８ａの上方を横切ってハンドルハブばね受け３３の段差部５４側に移動する。それと同時にスライダー３４が中間位置より下方に移動する。このとき、スライダー３４の下方移動がそれぞれ連結部材９１，９２を介して各鎌錠４に伝達され、各鎌錠４においては、図２３に示すように、スライダー８４が錠ケース８２内の中間位置より下方に移動するとともに、鎌片８３が支軸８９廻りに回動してその先端部が錠ケース８２のデッド孔８５より外部に突出する。
【００４０】
このハンドル１５，１７の回動操作によって鎌片８３が突出した状態においては、ラッチ錠３のスライダー３４の回動規制部７６はロックハブ３６よりも下方に移動しているため、扉２の内側からサムターン１６を用い、あるいは扉２の外側からシリンダ１８用の鍵を用いてロックハブ３６を反時計方向に回動操作すると、図１１に示すようにそのアーム部３６ｂによりロックピース３８が押圧されて上方に移動し、このロックピース３８の第１の垂直部３８ａとラッチ梃子４７の突出部４７ｂとの当接によりラッチ梃子４７の回動ひいてはハンドル１５，１７の回動操作が規制され、ラッチ錠３のみならず各鎌錠４も施錠状態となる。
【００４１】
このように、鎌錠４の施錠を行うときには、初めにハンドル１５，１７を横向きのラッチ突出状態から上向きに回動操作して鎌錠４を突出させ、しかる後サムターン１６又はシリンダ１８用の鍵を用いて鎌錠４の施錠を行うという二段階の操作が必要であるため、不注意など意図に反して鎌錠４の施錠が行われるのを防止することができ、締め出し事態の発生及び開口部枠５などの破損を確実に防止することができる。しかも、上記ハンドル１５，１７は、ラッチ操作用のものでサムターン１６及びシリンダ１８の近傍に設けられているため、上記二段階の操作による鎌錠４の施錠解錠を容易に行うことができる上、操作部材を新たに設ける必要もないので、コスト面などで実施化を容易に図ることができる。
【００４２】
また、鎌錠４の施錠状態では扉２の戸先側中央部がラッチ錠３により開口部枠５に施錠されるだけでなく、扉２の戸先側上部及び下部がそれぞれ鎌錠４により開口部枠５に施錠されるため、扉錠１としての防犯性を高めることができる。特に、鎌錠４は、その鎌片８３の先端部が開口部枠５側の受け座１２０に対しその受け孔１２３の内側から係合した状態で施錠をするものであるため、例えばバールなどで扉２と枠５との隙間を拡げて鎌片８３と受け座１２０との係合を外そうとしても不可能となり、防犯性を十分に高めることができる。
【００４３】
さらに、上記ラッチ錠３のスライダー３４と各鎌錠４のスライダー８４とを連結する連結部材９１，９２は、従来のグレモン錠のロッドの如く扉２の内部に配置されるものではなく、扉２の戸先側端面に沿って配置されるものであるため、扉２を建物の開口部枠５にヒンジを介して取り付けた状態でその戸先側端面に対しラッチ錠３及び鎌錠４と共に容易に取り付けることができる。しかも、上記連結部材９１，９２は、いずれもその上下両端の係合部９３，９３を、それぞれラッチ錠３の錠ケース１２及び鎌錠４の錠ケース８２に対しそれらのフロント板１２ｃ，８２ｃを取り外した状態で内部に挿入し、スライダー３４，８４の係合溝９４，９５に係合するだけで両スライダー３４，８４との連結を簡単に行うことができ、また上下を逆にしても使用できるので、取付作業の簡易化をより図ることができる。
【００４４】
加えて、上記鎌錠４は、そのスライダー８４の上下両端にそれぞれ上記連結部材９１，９２と連結するための連結フランジ８７及び係合溝９５を有し、扉２の戸先側上部及び下部の両方に兼用可能になっているため、その分鎌錠４の組み付けを容易に行うことができるとともに、鎌錠４ひいては扉錠１のコストを低減することができる。
【００４５】
尚、本発明は上記実施形態に限定されるものではなく、その他種々の形態を包含するものである。例えば上記実施形態では、ラッチ錠３において、ハンドルハブ３２の回動に伴ってスライダー３４を上下移動させるに当たり、ハンドルハブ３２にスライダー作動ギヤ４６を回動一体に装着するとともに、スライダー３４にこのスライダー作動ギヤ４６のギヤ部４６ａと噛み合うラック部５９を形成したが、この構成の代わりに、回転運動を直線運動に変換するリンク機構など他の運動変換機構を用いて構成してもよい。
【００４６】
また、上記実施形態では、扉２の内ハンドル１５及び外ハンドル１７を共にレバー型のものを使用したが、本発明は、レバー型以外に、ノブ型のものを使用した場合にも適用することができる。但し、この場合、ハンドルの回動操作状態が一目で分かるように目印などを設けることが望ましい。
【００４７】
さらに、上記実施形態では、扉２の戸先側の中央部にラッチ錠３を、扉２の戸先側の上部及び下部に上下一対の鎌錠４，４をそれぞれ設けてなる扉錠１について述べたが、本発明は、扉の戸先側の中央部にラッチ錠とデッドボルト錠とを一体的に又は別体に設けてなる扉錠、あるいはラッチ及びデッドボルトの他に扉の上端面及び下端面より各々突出する上部ロッド及び下部ロッドを有するグレモン錠などにも適用することができる。
【００４８】
【発明の効果】
以上のように、本発明の扉錠によれば、ロック部材を施錠するときには、初めにラッチ操作用のハンドルを通常回動操作領域外の所定角度位置にまで回動操作し、しかる後サムターン又はシリンダ用の鍵を用いてロック部材の施錠を行うという二段階の操作が必要であるため、不注意など意図に反してロック部材の施錠が行われるのを防止することができ、締め出し事態の発生及び開口部周縁などの破損を確実に防止できる。しかも、ロック部材の施錠解錠の操作性を損うことはなく、また操作部材を新たに設ける必要もないので、実施化を図る上で非常に有利なものである。
【００４９】
特に、請求項１に係る発明では、扉の戸先側の中央部にラッチ錠を、上部及び下部の少なくとも一方に鎌錠をそれぞれ設けてなる扉錠において、ラッチ錠のスライダーにロックハブの回動を規制する回動規制部を設けることにより、鎌錠による防犯性の確保と共に、不注意などによる施錠の防止化を確実に図ることができるという効果を奏する。
【００５０】
また、請求項２に係る発明では、扉錠の取付時に扉を建物の開口部に取り付けた状態でその戸先側端面に連結部材を沿わせて配置し、この連結部材の上下両端の係合部をそれぞれラッチ錠のスライダー及び鎌錠のスライダーに係合するだけで連結部材の組み付けを容易に行うことができるので、作業性の向上を図ることができるという効果をも有する。
【００５１】
さらに、請求項３に係る発明では、扉の戸先側の鎌錠が上部用及び下部用として兼用可能なものであるため、その分鎌錠の組み付けを容易に行うことができ、作業性の向上をより図ることができるとともに、鎌錠ひいては扉錠のコストダウン化を図ることができるという効果を併有する。
【図面の簡単な説明】
【図１】本発明の実施形態に係る扉錠の全体構成を示し、（ａ）は扉の戸先側端面の前方より見た正面図であり、（ｂ）はハンドルなどの一部部品を取り外した状態での扉内側から見た側面図である。
【図２】図１のＡ−Ａ線における拡大断面図である。
【図３】図１のＢ−Ｂ線における拡大断面図である。
【図４】図１のＣ−Ｃ線における拡大断面図である。
【図５】扉のラッチ錠取付部付近の縦断面図である。
【図６】扉の内ハンドル付近の正面図である。
【図７】扉の外ハンドル付近の正面図である。
【図８】ラッチ錠の錠ケースを切開して内部構造を示すラッチ突出状態の側面図である。
【図９】同じくラッチ後退状態の側面図である。
【図１０】同じく鎌錠の施錠可能状態の側面図である。
【図１１】同じく鎌錠の施錠状態の側面図である。
【図１２】図８のＤ−Ｄ線における断面図である。
【図１３】図８のＥ−Ｅ線における断面図である。
【図１４】図８のＦ−Ｆ線における拡大断面図である。
【図１５】図８のＧ−Ｇ線における拡大断面図である。
【図１６】図８のＨ−Ｈ線における拡大断面図である。
【図１７】図８のＩ−Ｉ線における拡大断面図である。
【図１８】ハンドルハブの平面図である。
【図１９】スライダー作動ギヤの平面図である。
【図２０】ラッチ梃子の平面図である。
【図２１】鎌錠の錠ケースを切開して内部構造を示すラッチ突出状態の側面図である。
【図２２】同じくラッチ後退状態の側面図である。
【図２３】鎌錠の施錠状態の側面図である。
【図２４】図２１のＪ−Ｊ線における断面図である。
【図２５】図２１のＫ−Ｋ線における断面図である。
【図２６】図２１のＬ−Ｌ線における拡大断面図である。
【図２７】ラッチ錠用受け座の取付構造を示す縦断側面図である。
【図２８】ラッチ錠用受け座の受けフロントを示し、（ａ）は平面図であり、（ｂ）は縦断側面図である。
【図２９】ラッチ錠用受け座の受けリヤを示し、（ａ）は平面図であり、（ｂ）は縦断側面図である。
【図３０】鎌錠用受け座の受けフロントを示し、（ａ）は平面図であり、（ｂ）は側面図である。
【図３１】鎌錠用受け座の受けリヤを示し、（ａ）は平面図であり、（ｂ）は側面図である。
【符号の説明】
１    扉錠
２    扉
３    ラッチ錠
４    鎌錠
１２    ラッチ錠の錠ケース
１５    内ハンドル
１６    サムターン
１７    外ハンドル
１８    シリンダ
３１    ラッチ
３２    ハンドルハブ
３４    ラッチ錠のスライダー
３６    ロックハブ
７６    回動規制部（施錠規制手段）
８２    鎌錠の錠ケース
８３    鎌片
８４    鎌錠のスライダー
８６    溝状孔（溝状部）
８８    係合ピン
９１，９２    連結部材
９３    係合部
９４，９５    係合溝（連結部）
【図１】
0004477175.tif 000002
【図２】
0004477175.tif 000003
【図３】
0004477175.tif 000004
【図４】
0004477175.tif 000005
【図５】
0004477175.tif 000006
【図６】
0004477175.tif 000007
【図７】
0004477175.tif 000008
【図８】
0004477175.tif 000009
【図９】
0004477175.tif 000010
【図１０】
0004477175.tif 000011
【図１１】
0004477175.tif 000012
【図１２】
0004477175.tif 000013
【図１３】
0004477175.tif 000014
【図１４】
0004477175.tif 000015
【図１５】
0004477175.tif 000016
【図１６】
0004477175.tif 000017
【図１７】
0004477175.tif 000018
【図１８】
0004477175.tif 000019
【図１９】
0004477175.tif 000020
【図２０】
0004477175.tif 000021
【図２１】
0004477175.tif 000022
【図２２】
0004477175.tif 000023
【図２３】
0004477175.tif 000024
【図２４】
0004477175.tif 000025
【図２５】
0004477175.tif 000026
【図２６】
0004477175.tif 000027
【図２７】
0004477175.tif 000028
【図２８】
0004477175.tif 000029
【図２９】
0004477175.tif 000030
【図３０】
0004477175.tif 000031
【図３１】
0004477175.tif 000032